(57)【特許請求の範囲】
【請求項１】
着信電話番号に応じた機能を実行する電話機であって、
擬似的な着信電話番号を取得する擬似着番号取得部と、
着信を受けていない状態において、上記擬似着番号取得部が取得した上記擬似的な着信電話番号を用いて、上記機能を模擬的に実行する模擬機能実行部と、
を備え、
上記擬似着番号取得部は、ユーザ操作によって入力された電話番号を、上記擬似的な着信電話番号として取得することを特徴とする電話機。
【請求項２】
上記機能は、着信を受けたときに当該着信に係る上記着信電話番号を表示する機能であり、
上記模擬機能実行部は、上記着信に係る着信電話番号として、上記擬似的な着信電話番号を表示することを特徴とする請求項１に記載の電話機。
【請求項３】
上記着信電話番号は予め分類されており、上記機能は上記着信電話番号に対応する分類に応じて異なる動作を行う機能であり、
上記模擬機能実行部は、上記擬似的な着信電話番号に対応する分類に応じて、上記機能を模擬的に実行することを特徴とする請求項１に記載の電話機。
【請求項４】
上記模擬機能実行部は、着信を受けていない状態において、所定の操作が行われた場合に、上記機能を模擬的に実行することを特徴とする請求項１から３のいずれか１項に記載の電話機。
【請求項５】
着信電話番号に応じた機能を実行する電話機の制御方法であって、
擬似的な着信電話番号を取得する擬似着番号取得ステップと、
着信を受けていない状態において、上記擬似着番号取得ステップにて取得した上記擬似的な着信電話番号を用いて、上記機能を模擬的に実行する模擬機能実行ステップと、
を含み、
上記擬似着番号取得ステップでは、ユーザ操作によって入力された電話番号を、上記擬似的な着信電話番号として取得することを特徴とする電話機の制御方法。
【発明の詳細な説明】
【技術分野】
【０００１】
本発明は、着信電話番号に応じた機能を実行する電話機およびその制御方法に関する。
【背景技術】
【０００２】
従来、電話機やファクシミリなどの通信装置の技術分野では、通信装置の機能が実行されない状況において、ユーザにその機能を模擬的に体験させるために、その機能が実行された場合の動作を模擬的に実行するデモ機能（または模擬機能）を備えた通信装置が開発されている。例えば、通信装置がまだ電話回線網に接続されていない状況（例えば、販売前の通信装置が店頭に展示されている状況）において、通信装置の発信機能をデモンストレーションするために、発信機能のデモ機能が実行される。
【０００３】
また、特許文献１〜３には、着信がない状況において着信音を鳴動させるデモ機能を備えた通信装置の具体例が記載されている。特許文献１〜３に記載の通信装置によれば、ユーザは、いつでも着信音を鳴動させることができるので、着信音を防犯の目的で鳴動させたり、着信音を視聴したりすることができる。
【先行技術文献】
【特許文献】
【０００４】
【特許文献１】特開２００２−３４４５７９号公報（２００２年１１月２９日公開）
【特許文献２】特開２００４−２６０８４８号公報（２００４年９月１６日公開）
【特許文献３】特開２０１０−２４５７１９号公報（２０１０年１０月２８日公開）
【発明の概要】
【発明が解決しようとする課題】
【０００５】
しかしながら、従来、着番号（着信電話番号。すなわち発信元の電話番号）を表示する着番号表示機能等、着番号に応じた動作をする機能のデモ機能は存在しなかった。そのため、従来の通信装置は、着信を受けていない状況において、着番号に応じた動作をする通信装置の機能を、ユーザに模擬体験させることができなかった。
【０００６】
本発明は、上記の課題に鑑みてなされたものであり、その目的は、着信電話番号に応じた動作をする電話機の機能を、電話機に着信がない状態であるときに、ユーザに模擬体験させることができる電話機およびその制御方法を実現することにある。
【課題を解決するための手段】
【０００７】
上記の課題を解決するために、本発明の一態様に係る通信装置は、着信電話番号に応じた機能を実行する電話機であって、擬似的な着信電話番号を取得する擬似着番号取得部と、着信を受けていない状態において、上記擬似着番号取得部が取得した上記擬似的な着信電話番号を用いて、上記機能を模擬的に実行する模擬機能実行部と、を備えている。
【発明の効果】
【０００８】
本発明の一態様によれば、着信電話番号に応じた動作をする電話機の機能を、電話機に着信がない状態であるときに、ユーザに模擬体験させることができる。
【図面の簡単な説明】
【０００９】
【図１】実施形態１に係る電話機の構成を示すブロック図である。
【図２】実施形態１に係る電話機の外観を示す図である。
【図３】実施形態１に係る電話機が備えた電話機能模擬部が、電話機能実行部を制御することによって実行する着番号表示デモの流れを示すシーケンス図である。
【図４】実施形態２に係る電話機の電話機能模擬部が実行するお名前確認デモの流れを説明する図である。
【図５】実施形態３にかかる電話機の電話機能模擬部が実行する着番号登録デモの流れを説明する図である。
【発明を実施するための形態】
【００１０】
〔実施形態１〕
本発明の一実施形態について図１〜図３に基づいて説明すると以下の通りである。以下の各実施形態では、本発明の通信装置を電話機に適用した場合について説明する。なお、本明細書において「デモ機能」または「模擬機能」とは、電話機が備えた各種機能を模擬して、ユーザからの入力操作に応じた挙動をユーザに提示する機能を意味する。本発明に係る通信装置は、デモ機能によって、通信装置の機能をユーザに疑似体験させることができる。ここでは、「デモモード」は、上記電話機が上記デモ機能を実行している状態を意味する。これに対し、「非デモモード」は、デモモードではない状態を意味する。
【００１１】
（電話機１の外観）
図２は、本実施形態に係る電話機１の外観の一例を示す図である。図２に示すように、電話機１は、操作部２、受話器４、第２音声出力部６および表示部７を備えている。電話機１のユーザは、電話回線網を介して、他の電話機等と通話をすることができる（電話機１の通話機能）。なお、電話機１は、通話機能に加えて、ファクシミリ機能等、他の機能をさらに備えていてもよい。
【００１２】
操作部２は、電話機１を操作するためのものであり、例えば、ハードウェアキーで構成される。具体的には、操作部２は、例えば、通信相手のダイヤル番号を入力するためのテンキー、ならびに、シャープ（＃）キーおよびアスタリスク（＊）キーなどを含むキー群Ｂ０を含む。また、表示部７に登録電話番号を表示させるための電話帳ボタンＢ１、受話音量を変更するための音量大ボタンＢ２、電話機１が実行している機能を停止するための停止ボタンＢ３、および、お名前確認機能等の各種機能（後述）を実行させるための機能実行ボタンＢ４などを含む。機能実行ボタンＢ４は、各種機能および当該機能のデモ機能を呼び出す際に用いられる。電話機１が備える機能の具体例については、詳細を後述する。また、電話機１は、着信があったときに点灯または点滅するＬＥＤ９（図１）をさらに備えている。
【００１３】
受話器４は、ユーザが音声を電話機に入力したり、電話機が出力する音声を聴取したりするためのものであり、図示していない音声入力部、および、音声を出力するための後述する第１音声出力部４１（図１）を備えている。音声入力部は、該音声入力部付近の音を集音して、集音した音を電気信号に変換して制御部３に出力するものであり、例えばマイクである。また、第１音声出力部４１は、制御部３が出力した電気信号を音に変換して出力するものであり、例えば、スピーカである。第１音声出力部４１は、受話器４を耳に当てて使用しているユーザの耳に音声を届けるのに使用される。なお、図２では、受話器４がコードレスである例を示している。受話器４は、いわゆる受話子機である。無論、受話器４は電話機１の本体とコードで接続されていてもよい。また、電話機１は、１または複数の受話子機を設けることが可能となっていてもよく、受話子機を操作することによっても、デモを体験できるようにしてもよい。
【００１４】
第２音声出力部６は、第１音声出力部４１と同様、制御部３から出力された電気信号を音として外部に出力するものであり、例えばスピーカであってもよい。第２音声出力部６は、例えば、お名前確認機能（後述）またはそのデモ機能が実行される場合、音声を出力する。図２において、第２音声出力部６は受話器４に設けられているが、電話機１の任意の位置に配置されてもよい。すなわち、第２音声出力部６の配置は特に限定されない。
【００１５】
表示部７は、制御部３の制御に従って画像を表示するものである。特に、表示部７は、電話機１がデモ機能を実行している場合、ユーザが選択可能な操作内容を表示したり、当該デモモードにおいて現在実行されている工程を表示したりする。その他、表示部７は、例えば、着信相手の電話番号、入力した電話番号等、他の電話機との通話に関わる情報、および、各種機能の実行操作をガイドするためのメニュー画面等、ユーザが電話機１を操作するために参照する情報などを表示してもよい。表示部７としては、例えば、ＬＣＤ（液晶ディスプレイ）、有機ＥＬディスプレイなどを適用することが可能である。
【００１６】
〔電話機１の構成〕
図１は、電話機１の要部構成の一例を示すブロック図である。図１に示すように、電話機１は、操作部２、制御部３、受話器４、記憶部５、第２音声出力部６、表示部７、フック８およびＬＥＤ９を備えている。
【００１７】
フック８は、受話器４の状態、具体的には、受話器４が外れているか否かを検出して、その検出信号を制御部３に出力する。
【００１８】
ＬＥＤ（バックライトＬＥＤ）９は、発光素子であり、操作部２の各種ボタンの背面等に設けられている。制御部３の指示に従い点灯または点滅する。ＬＥＤ９の点滅の間隔、発光色についても制御部３が制御してもよい。
【００１９】
記憶部５は、フラッシュメモリなどの不揮発性の記憶装置によって構成され、特に、電話機１が本発明の通信装置として機能するために必要なプログラムを格納する。また、記憶部５は、電話機能記憶部５１およびデモ実行情報記憶部５２を含む。
【００２０】
電話機能記憶部５１は、電話機１の電話機能実行部３３が参照する情報を格納するものである。具体的には、電話機能記憶部５１には、ユーザが登録した電話番号（登録番号）が記載された登録番号リスト５１１が格納される。登録番号リスト５１１に記載された電話番号は、ユーザが応答を拒否することを希望する「お断り番号」と、ユーザが応答を拒否することを希望しない「安心番号」（例えば、電話帳に登録された電話番号を含む）とに分類される。電話機能記憶部５１には、さらに、電話機１の各種機能が実行されるときに使用される図示しない音声データ、および、表示データなどが格納される。
【００２１】
デモ実行情報記憶部５２は、電話機１の電話機能模擬部（模擬機能実行手段）３４が参照する情報を格納するものである。具体的には、デモ実行情報記憶部５２には、実行パターン情報５２１、音声データ５２２、表示データ５２３、および擬似登録番号リスト５２４が格納されている。
【００２２】
実行パターン情報５２１は、ユーザ操作に応じた電話機能模擬部３４の挙動内容を示す情報である。電話機能模擬部３４は、実行パターン情報５２１に従った挙動を実行することにより、電話機能実行部３３の機能を模擬する。
【００２３】
音声データ５２２は、電話機能模擬部３４が、電話機能実行部３３の機能を模擬する際に使用する音声データである。上記音声データに基づいて、第２音声出力部６（または第１音声出力部４１）からの音声出力が行われる。表示データ５２３は、電話機能模擬部３４が、電話機能実行部３３の機能を模擬する際に使用する表示データである。上記表示データに基づいて表示部７への表示が行われる。
【００２４】
擬似登録番号リスト５２４は、（使用されていない）電話番号が記載された擬似的な登録番号のリストである。擬似登録番号リスト５２４は、擬似的な「お断り番号」と、擬似的な「安心番号」とに分類されている。なお、擬似登録番号リスト５２４は、デモ機能が実行される前に、ユーザまたは店員によって入力されてもよい。
【００２５】
制御部３は、記憶部５から一時記憶部（不図示）に読み出されたプログラムを実行することにより、各種の演算を行うと共に、電話機１が備える各部を統括的に制御するものである。
【００２６】
本実施形態では、制御部３は、機能ブロックとして、操作入力取得部３１、モード切替部３２、電話機能実行部３３、電話機能模擬部３４、音声制御部３５および表示制御部３６を備える構成である。これらの制御部３の各機能ブロック（３１〜３６）は、ＣＰＵ（central processing unit）が、ＲＯＭ（read only memory）等で実現された記憶装置（記憶部５）に記憶されているプログラムをＲＡＭ（random access memory）等で実現された一時記憶部に読み出して実行することで実現できる。
【００２７】
操作入力取得部３１は、ユーザが電話機１を操作することによって、操作部２またはフック８から出力される信号を取得するものである。具体的には、操作入力取得部３１は、操作部２から出力された信号に応じて、操作部２のいずれのキーが押下されたのかを示すキー情報をモード切替部３２に送信する。また、フック８から出力された信号に応じて、受話器４が外れているか否か（オンフックまたはオフフック）を示す受話器状態情報をモード切替部３２に送信する。
【００２８】
モード切替部３２は、電話機１のモードの切り替えを行うものである。具体的には、モード切替部３２は、電話機１の現在のモードと、そのモードのときに入力されたキー情報に基づいて、電話機１のモードを、非デモモードまたはデモモードに切り替える。
【００２９】
そして、モード切替部３２は、電話機１のモードをデモモードに切り替えた場合、デモモードの開始を電話機能模擬部３４に指示する。また、デモモードの間、モード切替部３２は、操作入力取得部３１から受信したキー情報または受話器状態情報を電話機能模擬部３４に供給する。
【００３０】
一方、モード切替部３２は、電話機１のモードを非デモモードに切り替えた場合、非デモモードの開始を電話機能実行部３３に指示する。また、非デモモードの間、モード切替部３２は、操作入力取得部３１から受信したキー情報または受話器状態情報を電話機能実行部３３に供給する。
【００３１】
電話機能実行部３３は、電話機１の各部を制御することにより、電話機１が備える機能を実行するものである。電話機能実行部３３が実行する機能には、着番号表示機能、お名前確認機能、および着番号登録機能が含まれる。なお、電話機能実行部３３は、音声制御部３５、音声制御部３５、およびＬＥＤ制御部３７などを制御して、ユーザに対して各種情報を提供することもできる。
【００３２】
ここで、着番号表示機能とは、電話機１に着信があった場合に、着番号（着信電話番号。すなわち発信元の電話番号）を表示部７に表示するとともに、着信音を鳴動させる機能である。また、お名前確認機能とは、電話機１に着信があった場合において、着番号が記憶部５の電話帳（または「安心番号」）に登録されていない未登録番号である場合、受話器４がオフフックされる前に、先方（すなわち、発信元の人物）の名前を確認する機能である。また、着番号登録機能とは、着番号が未登録番号である場合に、その着番号を「お断り番号」または「安心番号」に登録することをユーザに選択させる機能である。
【００３３】
「お断り番号」とは、ユーザが着信を拒否したい迷惑電話などの発信元の電話番号である。電話機１が「お断り番号」から着信を受けた場合、電話機能実行部３３は、自動的に応答を拒否する。「安心番号」とは、ユーザが着信を拒否しない電話番号である。あるいは、「お断り番号」に登録されている電話番号から着信があった場合、電話機能実行部３３は、ＬＥＤ９を赤色で発光させる。一方、「安心番号」に登録されている電話番号から着信があった場合、電話機能実行部３３は、ＬＥＤ９を緑色で発光させる。
【００３４】
なお、記憶部５の電話帳に記録されている電話番号は、「お断り番号」および「安心番号」を含んでいてもよいし、「お断り番号」および「安心番号」とは無関係であってもよい。後者の構成では、「お断り番号」および「安心番号」は、電話帳に記録されている電話番号とは分けて、記憶部５に記録される。
【００３５】
さらに、電話機能実行部３３は、販促機能実行部（図示せず）を備えていてもよい。販促機能実行部は、電話機１をプレゼンモードへ遷移させる。また、電話機１がプレゼンモードであるとき、電話機１の各部を制御することによりプレゼンテーション機能を実行する。ここで、プレゼンモードは、主に店頭などで、電話機１が電話回線網に接続されていない場合に適用されることを想定したモードである。プレゼンモードは、電話機１が通信回線に接続された後には適用の必要がなくなる。つまり、プレゼンモードは、通常、電話機１が通信不可能な状態で使用されるモードであると言える。このため、販促機能実行部は、電話機１の電源がＯＮとなって所定時間が経過しても通信回線に接続されたことが確認されない場合に、電話機１をプレゼンモードに遷移させてもよい。これにより、容易にプレゼンテーション機能を実行させることができる。
【００３６】
なお、電話機能実行部３３が実行する上述の各機能は、例えば、電話機能記憶部５１に格納されているプログラムを実行することによって実現されてもよい。無論、プログラムの格納場所は任意であってこの例に限られない。
【００３７】
電話機能模擬部３４は、デモモード下で電話機能実行部３３を制御することにより、お名前確認デモ機能等のデモ機能を実行するものである。具体的には、電話機能模擬部３４は、擬似着番号設定部３４Ａ（擬似着番号取得部）と、着番号表示デモ実行部３４０と、お名前確認デモ実行部３４１と、着番号登録デモ実行部３４２とを含む。着番号表示デモ実行部３４０、お名前確認デモ実行部３４１、および着番号登録デモ実行部３４２は、本発明の模擬機能実行部である。
【００３８】
擬似着番号設定部３４Ａは、電話機１が着信を受けていない状況において、擬似的な着番号を設定する。例えば、擬似着番号設定部３４Ａは、ユーザが擬似的な着番号を入力する操作を受け付けてもよいし、予め記憶部５のデモ実行情報記憶部５２に登録されている擬似的な着番号を設定してもよい。
【００３９】
また、着番号表示デモ実行部３４０は、後述する着番号表示デモ（図３参照）を実行する。お名前確認デモ実行部３４１は、実施形態２で説明するお名前確認デモ（図４参照）を実行する。また、着番号登録デモ実行部３４２は、実施形態３で説明する着番号登録デモを実行する。なお、電話機能模擬部３４は、少なくとも着番号表示デモ実行部３４０を備えていればよく、お名前確認デモ実行部３４１および着番号登録デモ実行部３４２の一方または両方を備えていなくてもよい。
【００４０】
音声制御部３５は、音声データを生成し、第１音声出力部４１または第２音声出力部６に出力する。具体的には、音声制御部３５は、電話機能実行部３３または電話機能模擬部３４によって指定された、電話機能記憶部５１に格納されている音声データ（図示せず）またはデモ実行情報記憶部５２に格納されている音声データ５２２を読み出し、音声データを生成する。そして、生成した音声データを第１音声出力部４１または第２音声出力部６に出力させる。
【００４１】
表示制御部３６は、表示データを生成し、表示部７に表示する。具体的には、表示制御部３６は、電話機能実行部３３または電話機能模擬部３４によって指定された、電話機能記憶部５１に格納されている表示データ（図示せず）またはデモ実行情報記憶部５２に格納されている表示データ５２３を読み出し、これを表示可能な形式に変換したデータを生成する。そして、生成したデータを表示部７に出力させる。
【００４２】
ＬＥＤ制御部３７は、操作部２の各キーに設けられたＬＥＤ９の発光を制御する。具体的には、ＬＥＤ制御部３７は、電話機能実行部３３または電話機能模擬部３４からの指示にしたがって、指定されたキーのＬＥＤ９の点灯、点滅および消灯を制御する。
【００４３】
（着番号表示デモ）
図３を用いて、電話機能模擬部３４の着番号表示デモ実行部３４０が、電話機能実行部３３を制御することによって実行する着番号表示デモの流れを説明する。着番号表示デモにおいて、着番号表示デモ実行部３４０は、交換機と通信する（制御部３が備えた図示しない）信号処理部の動作を模擬することによって、電話機能実行部３３に擬似的な着番号表示機能を実行させる。
【００４４】
図３は、着番号表示デモの流れを示すフローチャートである。図３に示すように、着番号表示デモは、概略的に、擬似的な着番号を表示部７に表示する擬似着番号表示処理Ｓ１と、着信音を一定時間ごとに繰り返し鳴動させる擬似着信処理Ｓ２とに分けられる。
【００４５】
擬似着番号表示処理Ｓ１では、着番号表示デモ実行部３４０は、まず、情報受信端末としての電話機１を起動させる情報受信端末起動信号（ＣＡＲ）を信号処理部が交換機から受信した場合に発行するイベント情報を模擬した模擬イベント情報を、電話機能実行部３３に送信する（Ｓ１０）。
【００４６】
電話機能実行部３３は、着番号表示デモ実行部３４０から、信号処理部が交換機から情報受信端末起動信号（ＣＡＲ）を受信した場合に発行するイベント情報を模擬した擬似イベント情報を受信する（Ｓ１１）。そして、電話機能実行部３３は、擬似イベント情報を受信した時点から１２０ｍｓが経過するまで待機した後（Ｓ１２）、電話回線を閉結する（すなわち、電話回線を閉にする）とともに、一次応答信号を信号処理部に送信する（Ｓ１３）。また、電話機能実行部３３は、着番号表示デモ実行部３４０に対して、電話回線を閉結した場合に発行して信号処理部に送信する終了イベント情報を通知する。ここで、Ｓ１２における待機時間は、交換機側が定める基準にしたがう時間であれば、特に限定されない。なお、電話機１が実際に着信を受けた場合、一次応答信号を受信した信号処理部は、その一次応答信号を交換機に転送するが、着番号表示デモにおいては、信号処理部は、一次応答信号を交換機に送信しない。
【００４７】
終了イベント情報の通知を受けた着番号表示デモ実行部３４０は、２００ｍｓのタイマーを起動させる。また、擬似着番号設定部３４Ａが、予めデモ実行情報記憶部５２の擬似登録番号リスト５２４に記載されている擬似的な着番号の情報を、擬似着番号設定部３４Ａのバッファに格納する（Ｓ１４、擬似着番号取得ステップ）。あるいは、擬似着番号設定部３４Ａは、電話機能記憶部５１に登録されている登録番号を、擬似的な着番号として使用してもよいし、ユーザまたは店員が入力した電話番号を、擬似的な着番号として使用してもよい。
【００４８】
その後、着番号表示デモ実行部３４０は、終了イベント情報の通知を受けた時点から２００ｍｓが経過した後、バッファに着番号が格納された場合に信号処理部が発行するイベント情報を模擬した擬似イベント情報を、電話機能実行部３３に通知する。ここで、タイマーによる待機時間２００ｍｓは、一次応答信号を受信した交換機が着番号の情報を送信するまでに要する時間（例えば、１００ｍｓ〜３ｓｅｃ）の範囲内から選択される。
【００４９】
擬似イベント情報の通知を受けた電話機能実行部３３は、バッファに格納されている擬似的な着番号の情報を取得して、（表示制御部３６を制御することによって）表示部７に着番号を表示する（Ｓ１５、模擬機能実行ステップ）。また、擬似的な着番号が電話機能記憶部５１に「お断り番号」として登録されている場合、電話機能実行部３３は、応答を自動的に拒否する（迷惑電話拒否機能）。以下では、擬似的な着番号は「お断り番号」ではないとする。
【００５０】
次に、電話機能実行部３３は、３００ｍｓが経過するまで待機する（Ｓ１６）。その後、電話機能実行部３３は、電話回線を開放するとともに、ＣＡＲの受信を完了した旨を交換機に通知するための受信完了信号を、信号処理部に送信する（Ｓ１７）。ここで、Ｓ１６における待機時間は、交換機側が定める基準にしたがう時間であれば、特に限定されない。なお、電話機１が実際に着信を受けた場合、信号処理部は、受信完了信号を交換機に転送するが、着番号表示デモにおいては、信号処理部は、受信完了信号を交換機に送信しない。
【００５１】
また、電話機能実行部３３は、着番号の受信を完了した場合に発行して信号処理部に送信する終了イベント情報を、着番号表示デモ実行部３４０に通知する。なお、電話機能実行部３３が表示部７に着番号を表示した後、電話機能模擬部３４のお名前確認デモ実行部３４１は、後述するお名前確認デモ（図４参照）を開始してよい。
【００５２】
終了イベント情報の通知を受けた着番号表示デモ実行部３４０は、３００ｍｓのタイマーを起動させる（Ｓ１８）。その後、着番号表示デモ実行部３４０は、終了イベント情報の通知を受けてから３００ｍｓが経過した後、信号処理部が交換機から呼出信号（ＩＲ）を受信した場合に発行されるイベント情報を模擬した擬似イベント情報を、電話機能実行部３３に通知する。
【００５３】
続いて、着番号表示デモ実行部３４０は擬似着信処理Ｓ２を実行する。なお、擬似着信処理Ｓ２が開始されるとともに、電話機能模擬部３４のお名前確認デモ実行部３４１は、後述するお名前確認デモ（図４参照）を開始してもよい。
【００５４】
図３に示すように、擬似着信処理Ｓ２では、擬似イベント情報の通知を受けた電話機能実行部３３は、音声制御部３５を制御することによって、第２音声出力部６から着信音を出力させる。また、ＬＥＤ制御部３７を制御することによって、ＬＥＤ９を発光（点滅または点灯）させる（着信音鳴動処理Ｓ２０）。
【００５５】
着番号表示デモ実行部３４０は、電話機能実行部３３が着信音鳴動処理Ｓ２０を開始した時点から、１０００ｍｓのタイマーを起動させる。そして、電話機能実行部３３が着信音鳴動処理Ｓ２０を開始した時点から１０００ｍｓが経過した後、着番号表示デモ実行部３４０は、信号処理部が交換機から信号を受信したときに信号処理部が発行するイベント情報を模擬した擬似イベント情報を、電話機能実行部３３に通知する（Ｓ２１）。なお、電話機１が実際に着信を受けた場合、信号処理部は、上記信号を交換機から受信したとき、着信音の鳴動を停止させる。
【００５６】
擬似イベント情報を受信した電話機能実行部３３は、交換機からの上記信号を受信した場合と同様に、着信音の鳴動を停止させる（着信音停止処理Ｓ２２）。
【００５７】
着番号表示デモ実行部３４０は、電話機能実行部３３が着信音停止処理Ｓ２２を開始した時点から、２０００ｍｓのタイマーを起動させる。そして、電話機能実行部３３が着信音停止処理Ｓ２２を開始した時点から２０００ｍｓが経過した後、着番号表示デモ実行部３４０は、信号処理部が交換機から信号を受信したときに信号処理部が発行するイベント情報を模擬した擬似イベント情報を、電話機能実行部３３に通知する（Ｓ２３）。なお、電話機１が実際に着信を受けた場合、信号処理部は、上記信号を交換機から受信したとき、着信音の鳴動を再開させる。以後、擬似着信処理Ｓ２は、ユーザが通話を開始するか、外線自動応答が開始されるか、あるいは電話回線が開放される（すなわち、電話回線が開になる）まで繰り返し実行される。
【００５８】
ユーザが通話を開始するか、外線自動応答が開始されるか、あるいは電話回線が開放された場合、擬似着信処理Ｓ２は終了する。なお、擬似着信処理Ｓ２が開始された後、電話機能模擬部３４のお名前確認デモ実行部３４１は、実施形態２で説明するお名前確認デモ（図４参照）を実行してもよい。
【００５９】
〔実施形態２〕
本発明の他の実施形態について、図４に基づいて説明すれば、以下のとおりである。なお、説明の便宜上、前記実施形態にて説明した部材と同じ機能を有する部材については、同じ符号を付記し、その説明を省略する。
【００６０】
本実施形態では、前記実施形態１で説明した着番号表示デモ（図３参照）の擬似着信処理Ｓ２が開始された後、電話機能模擬部３４のお名前確認デモ実行部３４１がお名前確認デモを実行する構成を説明する。あるいは、お名前確認デモは、お名前確認デモと組み合わされず、単独で実行されてもよい。なお、お名前確認デモが単独で実行される場合、電話機１が所定の操作を受けた場合（例えば、機能実行ボタンＢ４および特定の数字のボタンが押下された場合）に、お名前確認デモ実行部３４１がお名前確認デモを実行してよい。
【００６１】
ここで、前記実施形態１で説明したように、お名前確認デモは、記憶部５の電話帳に登録されていない着番号から着信があった場合において、ユーザが通話を開始する前に先方の名前を尋ねるお名前確認機能を模擬する。
【００６２】
（お名前確認デモ）
図４を用いて、電話機能模擬部３４のお名前確認デモ実行部３４１が実行するお名前確認デモの流れを説明する。図４はお名前確認デモの流れを示す図である。以下では、お名前確認デモは、前記実施形態１で説明した着番号表示デモの擬似着信処理Ｓ２が開始された後、実行されるとする。また、擬似的な着番号の情報が、バッファに予め格納されているとする。なお、お名前確認デモが単独で実行される場合、擬似着番号設定部３４Ａは、予め、擬似的な着番号をバッファに格納する。
【００６３】
図４に示すように、お名前確認デモ実行部３４１は、まず、擬似的な着番号の情報をバッファから取得して、取得した着番号が記憶部５の電話帳または「安心番号」に登録されている電話番号（登録番号）であるか否かを判定する（Ｓ１０１）。
【００６４】
着番号が登録番号である場合、お名前確認デモ実行部３４１は、先方の名前を確認しないことを決定する。この場合において、ユーザが着信に応答した場合、着番号表示デモ実行部３４０は、着信音の鳴動を停止させるとともに、表示部７に通話時間を表示する。その後、ユーザが終話した場合（Ｓ１０２）、着番号表示デモ実行部３４０は、電話機１を起動状態から待機状態に遷移させる。ここで、待機状態は、操作に対する応答が遅い一方、消費電力が低い電話機１の状態であってよい。
【００６５】
ユーザが着信に応答しなかった場合、お名前確認デモ実行部３４１は、「電話機１のユーザは不在である」旨の音声メッセージを再生する（Ｓ１０５）。
【００６６】
一方、着番号が電話帳に登録されていない未登録番号である場合、お名前確認デモ実行部３４１は、お名前確認デモを実行する。
【００６７】
まず、お名前確認デモ実行部３４１は、表示部７に「先方の名前を確認中である」旨のメッセージを表示するとともに、先方に名前を尋ねるための音声メッセージを再生する（Ｓ１０３）。お名前確認デモ実行部３４１は、電話機１の第１音声出力部４１または第２音声出力部６から、この音声メッセージを出力する。しかしながら、お名前確認デモ実行部３４１は、擬似的な着番号に対して、この音声メッセージを実際に送信するわけではない。
【００６８】
次に、お名前確認デモ実行部３４１は、「先方の名前を確認中である」等のメッセージと、応答を拒否するための操作方法とを、交互に繰り返し表示する（Ｓ１０４）。図示しないが、応答を拒否するための操作が行われた場合（図４では、“１”ボタンが押下された場合）、お名前確認デモ実行部３４１は、「電話機１のユーザは応答しない」旨の音声メッセージを再生してもよい。ただし、擬似的な着番号に対して、この音声メッセージが実際に送信されるわけではない。
【００６９】
Ｓ１０４の後、所定時間が経過するまでに、ユーザが応答するための操作を行わなかった場合、お名前確認デモ実行部３４１は、「電話機１のユーザは不在である」旨の音声メッセージを再生する（Ｓ１０５）。この音声メッセージも、擬似的な着番号には送信されない。その後、お名前確認デモ実行部３４１は、電話回線を開放する。一方、ユーザが、着信に応答した場合、ユーザが終話した後、お名前確認デモ実行部３４１は、起動状態から待機状態に遷移する。
【００７０】
以上で、お名前確認デモは終了する。なお、お名前確認デモのＳ１０６が行われた後、電話機能模擬部３４の着番号登録デモ実行部３４２は、実施形態３で説明する着番号登録デモ（図５参照）を続けて実行してもよい。
【００７１】
〔実施形態３〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００７２】
本実施形態では、前記実施形態２で説明したお名前確認デモ（図４参照）のＳ１０６が行われた後、電話機能模擬部３４の着番号登録デモ実行部３４２が着番号登録デモを実行する構成を説明する。なお、着番号登録デモは、お名前確認デモと組み合わされず、単独で実行されてもよい。なお、着番号登録デモが単独で実行される場合、電話機１が所定の操作を受けた場合（例えば、機能実行ボタンＢ４および特定の数字のボタンが押下された場合）に、着番号登録デモ実行部３４２が着番号登録デモを実行してよい。
【００７３】
着番号登録デモとは、記憶部５の電話帳に登録されていない着番号を「お断り番号」または「安心番号」として電話機１に登録する着番号登録機能を模擬する機能である。着番号登録機能は、電話帳または「安心番号」に登録されていない電話番号から着信があった場合に、電話機能実行部３３によって実行される。なお、以下で説明するように、着番号登録デモでは、擬似的な着番号を「お断り番号」または「安心番号」を登録する操作が行われた場合であっても、電話機能記憶部５１には、「お断り番号」または「安心番号」は登録されない。電話機１は、実際には、擬似的な着番号から着信を受けていないからである。その代わりに、擬似的な着番号は、擬似的な「お断り番号」または擬似的な「安心番号」として、デモ実行情報記憶部５２に登録されてもよい。デモ実行情報記憶部５２に登録されている擬似登録番号リスト５２４は、電話機１が実際に着信を受けたとき、電話機能実行部３３によって参照されることはないからである。
【００７４】
（着番号登録デモ）
図５を用いて、電話機能模擬部３４の着番号登録デモ実行部３４２が実行する着番号登録デモの流れを説明する。図５は着番号登録デモの流れを示す図である。以下では、擬似的な着番号の情報が、バッファに予め格納されているとする。また、その擬似的な着番号は、記憶部５の電話帳にも「安心番号」にも登録されていないとする。
【００７５】
図５に示すように、着番号登録デモでは、着番号登録デモ実行部３４２は、まず、擬似的な着番号を「お断り番号」または「安心番号」のどちらとして登録するか、ユーザに選択させる（Ｓ２０１）。加えて、ユーザは、着番号を「お断り番号」および「安心番号」のどちらにも登録しないことを選択する（図５では停止ボタンを押下する）ことができてもよい。
【００７６】
ユーザが擬似的な着番号を「安心番号」として登録することを選択した場合（図５では、“１”ボタンを押下した場合）、着番号登録デモ実行部３４２は、その擬似的な着番号を「安心番号」として登録してよいか、ユーザに確認する（Ｓ２０２）。ユーザが確認の操作をする（図５では、決定ボタンを押下する）ことによって、擬似的な着番号は「安心番号」に登録される（Ｓ２０３）。
【００７７】
一方、ユーザが擬似的な着番号を「お断り番号」として登録することを選択した場合（図５では、“０”ボタンが押下された場合）、着番号登録デモ実行部３４２は、擬似的な着番号を「お断り番号」として登録してよいか、ユーザに確認する（Ｓ２０４）。ユーザが確認の操作をする（図５では、決定ボタンが押下される）ことによって、擬似的な着番号は「お断り番号」に登録される（Ｓ２０５）。
【００７８】
その後、着番号登録デモ実行部３４２は、「お断り番号」または「安心番号」に登録された擬似的な着番号を削除する。着番号登録デモでは、電話機１は、擬似的な着番号から、実際には着信を受けていないからである。
【００７９】
Ｓ２０３またはＳ２０５の後、着番号登録デモ実行部３４２は、電話機１を起動状態から待機状態に遷移させる。以上で、着番号登録デモは終了する。
【００８０】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【００８１】
本実施形態では、電話機能模擬部３４の着番号表示デモ実行部３４０は、着番号表示デモの擬似着信処理Ｓ２（図３参照）において、擬似的な着番号が「安心番号」であるか「お断り番号」であるかに応じて、互いに異なる様態で、ＬＥＤ９を発光させる。ここで、ＬＥＤ９の発光の様態には、色、点滅のパターン、およびその組む合わせが含まれる。
【００８２】
以下で、着番号表示デモ実行部３４０が、擬似的な着番号が「安心番号」であるか「お断り番号」であるかに応じて、互いに異なる様態でＬＥＤ９を発光させるいくつかの着番号表示デモの実施例を説明する。
【００８３】
（実施例１）
実施例１では、着番号表示デモ実行部３４０は、まず、（擬似的な着番号を参照せずに）「安心番号」から着信があった場合のように、ＬＥＤ９を緑色で発光させる。次に、（擬似的な着番号を参照せずに）「お断り番号」から着信があった場合のように、ＬＥＤ９を赤色で発光させる。
【００８４】
本実施例によれば、着番号表示デモ実行部３４０は、擬似的な着番号を参照しない。したがって、擬似着番号設定部３４Ａは、予め、擬似的な着番号を設定する必要がない。
【００８５】
（実施例２）
実施例２では、着番号表示デモ実行部３４０は、記憶部５の電話帳をクリアした後、一つ以上の電話番号を、「安心番号」として、その電話帳に登録する。擬似着番号設定部３４Ａは、まず、登録された「安心番号」の情報を、擬似的な着番号として、バッファに格納する。着番号表示デモ実行部３４０は、バッファに格納された「安心番号」を参照して、その「安心番号」から着信があった場合のように、ＬＥＤ９を特定の様態で発光させる。次に、擬似着番号設定部３４Ａは、登録された「安心番号」以外の電話番号の情報を、擬似的な着番号として、バッファに格納する。着番号表示デモ実行部３４０は、登録された「安心番号」以外の電話番号から着信があった場合のように、ＬＥＤ９を他の様態で発光させる。その後、着番号表示デモ実行部３４０は、電話帳に登録した擬似的な着番号を消去する。
【００８６】
本実施例によれば、電話帳に登録された「安心番号」から着信があった場合、および、その「安心番号」以外の電話番号から着信があった場合において、それぞれ、ＬＥＤ９がどのように発光するのかを、ユーザに疑似体験させることができる。
【００８７】
（実施例３）
本実施例は、前記実施例２の一変形例である。前記実施例２では、着番号表示デモ実行部３４０が、電話帳に「安心番号」を登録した。一方、本実施例では、着番号表示デモ実行部３４０は、ユーザ（または販売員等）から、電話帳に「安心番号」を登録する操作を受け付ける。
【００８８】
実施例３では、着番号表示デモ実行部３４０は、ユーザ（または販売員）から、一つ以上の電話番号を、「安心番号」として、その電話帳に登録することを受け付ける。前述したように、擬似着番号設定部３４Ａは、まず、登録された「安心番号」の情報を、擬似的な着番号として、バッファに格納する。次に、擬似着番号設定部３４Ａは、登録された「安心番号」以外の情報をバッファに格納する。着番号表示デモ実行部３４０は、バッファに格納された擬似的な着番号から着信があった場合のように、ＬＥＤ９を特定の様態で発光させる。その後、着番号表示デモ実行部３４０は、電話帳に登録した擬似的な着番号を消去する。
【００８９】
〔ソフトウェアによる実現例〕
電話機１の制御ブロック（特に電話機能実行部３３および電話機能模擬部３４）は、集積回路（ＩＣチップ）等に形成された論理回路（ハードウェア）によって実現してもよいし、ＣＰＵ（Central Processing Unit）を用いてソフトウェアによって実現してもよい。
【００９０】
後者の場合、電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９１】
〔まとめ〕
本発明の態様１に係る電話機（１）は、着信電話番号に応じた機能を実行する電話機であって、擬似的な着信電話番号を取得する擬似着番号取得部（擬似着番号設定部３４Ａ）と、着信を受けていない状態において、上記擬似着番号取得部が取得した上記擬似的な着信電話番号を用いて、上記機能を模擬的に実行する模擬機能実行部（着番号表示デモ実行部３４０、お名前確認デモ実行部３４１、着番号登録デモ実行部３４２）と、を備えている。
【００９２】
上記の構成によれば、電話機が着信を受けていない状態であるとき、擬似的な着信電話番号に応じた機能を模擬した模擬的な機能が実行される。そのため、電話機が着信を受けていない状態であるとき、例えば、電話機が店頭に展示されている場合、あるいは電話機が通信回線に接続される前に、ユーザは、着信電話番号に応じた機能を擬似体験することができる。
【００９３】
本発明の態様２に係る電話機は、上記態様１において、上記機能は、着信を受けたときに当該着信に係る上記着信電話番号を表示する機能であり、上記模擬機能実行部は、上記着信に係る着信電話番号として、上記擬似的な着信電話番号を表示してもよい。
【００９４】
上記の構成によれば、電話機が着信を受けてないために、着信電話番号を表示する機能が実行されない状態であるときでも、擬似的な着信電話番号が表示されるので、ユーザは、上記機能を模擬体験することができる。
【００９５】
本発明の態様３に係る電話機は、上記態様１において、上記着信電話番号は予め分類されており、上記機能は上記着信電話番号に対応する分類に応じて異なる動作を行う機能であり、上記模擬機能実行部は、上記擬似的な着信電話番号の種類に応じて、上記機能を模擬的に実行してもよい。
【００９６】
上記の構成によれば、電話機が着信を受けていない状況において、ユーザは、擬似的な着信電話番号の種類に応じた機能を模擬体験することができる。
【００９７】
本発明の態様４に係る電話機は、上記態様１から３のいずれかにおいて、上記擬似着番号取得部は、予め記憶部に登録された一つ以上の電話番号を、順番に、上記擬似的な着信電話番号として取得してもよい。
【００９８】
上記の構成によれば、一つ以上の電話番号が、順番に、擬似的な着信電話番号として取得される。そのため、ユーザは、設定された擬似的な着信電話番号ごとに、その擬似的な着信電話番号に応じた機能を模擬体験することができる。
【００９９】
本発明の態様５に係る電話機は、上記態様１から３のいずれかにおいて、上記擬似着番号取得部は、ユーザ操作によって入力された電話番号を、上記擬似的な着信電話番号として取得してもよい。
【０１００】
上記の構成によれば、ユーザは、自らが入力した着信電話番号を使って、その模擬的な着信電話番号から電話機が着信を受けた場合に実行される機能を模擬体験することができる。
【０１０１】
本発明の態様６に係る電話機は、上記態様１から５のいずれかにおいて、上記模擬機能実行部は、着信を受けていない状態において、所定の操作が行われた場合に、上記機能を模擬的に実行してもよい。
【０１０２】
上記の構成によれば、電話機が着信を受けていない状況において、ユーザは、電話機に模擬機能を実行させるための所定の操作を実行することによって、擬似的な着信電話番号に応じた機能を模擬体験することができる。
【０１０３】
本発明の態様７に係る通信装置の制御方法は、着信電話番号に応じた機能を実行する電話機の制御方法であって、擬似的な着信電話番号を取得する擬似着番号取得ステップと、着信を受けていない状態において、上記擬似着番号取得ステップにおいて取得した上記擬似的な着信電話番号を用いて、上記機能を模擬的に実行する模擬機能実行ステップと、を含む。上記の構成によれば、上記態様１に係る電話機と同様の効果を奏する。
【０１０４】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０６】
１  電話機
３４Ａ  擬似着番号設定部（擬似着番号取得部）
３４０  着番号表示デモ実行部（模擬機能実行部）
３４１  お名前確認デモ実行部（模擬機能実行部）
３４２  着番号登録デモ実行部（模擬機能実行部）
【図１】
0006570922.tif 000002
【図２】
0006570922.tif 000003
【図３】
0006570922.tif 000004
【図４】
0006570922.tif 000005
【図５】
0006570922.tif 000006